(57)【特許請求の範囲】
【請求項１】
車両のキャブの上面に乗り上げたヘッド部の車幅方向外側に開口した空気取入口から外気をエンジン用吸気として取り入れる吸気ダクトであって、前記ヘッド部の後部下面から前記キャブの後面に沿い下方へ延びるダクト部の直上を避けて前記空気取入口を開口し、該空気取入口の後方端に車幅方向内側へ段差を成し且つその段差間を平面視で円弧状を成す凹曲面により連続させたガイド部を形成したことを特徴とする吸気ダクト。
【請求項２】
ヘッド部内のガイド部と隣接する位置に前記ヘッド部の底面に溜まる水を堰き止める竪壁を備えたことを特徴とする請求項１に記載の吸気ダクト。
【請求項３】
ヘッド部の車幅方向外側の側面に空気取入口の開口範囲を超えてダクト部の直上まで覆うルーバーを装着したことを特徴とする請求項１又は２に記載の吸気ダクト。
【発明の詳細な説明】
【技術分野】
【０００１】
本発明は、吸気ダクトに関するものである。
【背景技術】
【０００２】
一般的に、トラック等の大型の運搬車両は、普通乗用車と比べて未舗装の悪路を走行する機会が多いため、エンジンの吸気としては、塵埃が多く含まれている地面付近の外気ではなく、地面から十分高い部分の清浄な外気を取り入れることが好ましく、また、地面付近では雨水や積雪の跳ね上げを一緒に取り込んでしまう虞れもあるため、地面から十分高い部分で外気だけを確実に取り入れることが好ましい。
【０００３】
このため、大型の運搬車両においては、キャブの後面に上下方向に長く延在する吸気ダクトを据え付けるようにしているが、図３に示す如く、近年においては、より清浄な外気を取り込み得るようキャブ１の上面で空気取入口２を開口した吸気ダクト３が提案されており、ここに図示している例の場合、キャブ１の後面に据え付けられて外殻構造を成すダクト本体４と、前記空気取入口２を被覆して雨水の直接的な降り込みを阻む（雪の侵入も同様にして阻まれる）ルーバー５とを備えて前記吸気ダクト３が構成されるようになっている。
【０００４】
斯かる吸気ダクト３によれば、エンジンルームからの熱気の影響の少ない十分に冷えた外気を取り込めることでエンジンの各気筒への吸気の充填効率を高め、しかも、より高い位置で清浄な外気を取り込めることでエアクリーナの長寿命化を図り、圧力損失の少ない運転状態を長期に亘り維持させて燃費の向上を図るといったメリットが得られることになる。
【０００５】
尚、本発明に関連する一般的な既存技術について説明されている先行技術文献情報としては、本発明と同じ出願人による下記の特許文献１、２等が既に存在している。
【先行技術文献】
【特許文献】
【０００６】
【特許文献１】実用新案登録第２５６２７３２号公報
【特許文献２】特開２００２−３１００２２号公報
【発明の概要】
【発明が解決しようとする課題】
【０００７】
しかしながら、キャブ１の上面で空気取入口２を開口する吸気ダクト３では、キャブ１の後面側から上面に乗り上げて前記空気取入口２を車幅方向外側（図３中における左側）へ開口したヘッド部４ａと、該ヘッド部４ａの後部下面から下方に延びて前記キャブ１の後面に沿うダクト部４ｂとを備えてダクト本体４が構成されるようになっているが、最短経路で下流側のダクト部４ｂへ流れ込もうとする外気が空気取入口２の後方側に偏り、ここで流速も高くなって雨や雪を吸い込み易くなることが懸念されている。
【０００８】
本発明は上述の実情に鑑みてなしたもので、雨や雪がダクト部まで侵入してしまうことを防止し得る吸気ダクトを提供することを目的とする。
【課題を解決するための手段】
【０００９】
本発明は、車両のキャブの上面に乗り上げたヘッド部の車幅方向外側に開口した空気取入口から外気をエンジン用吸気として取り入れる吸気ダクトであって、前記ヘッド部の後部下面から前記キャブの後面に沿い下方へ延びるダクト部の直上を避けて前記空気取入口を開口し、該空気取入口の後方端に車幅方向内側へ段差を成し且つその段差間を平面視で円弧状を成す凹曲面により連続させたガイド部を形成したことを特徴とするものである。
【００１０】
而して、このようにすれば、空気取入口がダクト部の直上を避けて開口されているので、外気がヘッド部の前方側から回り込んでダクト部に向かう流れとなり、その回り込みの間に雨や雪が壁面に衝突したり底面に落下したりすることで外気の流れから逸脱してダクト部への侵入を阻まれると共に、空気取入口からダクト部への直接的な雨や雪の侵入も阻止されることになる。
【００１１】
しかも、空気取入口の後方端をすり抜ける外気の流れがガイド部に沿って案内されることで車両前方へ向けられるので、流速が高まり易い空気取入口の後方側の外気の流れがダクト部から一旦遠ざかるように大回りし、この大回りにより稼がれた時間で雨や雪の落下量が従来よりも大きくなり、これら雨や雪が空気取入口に対し取り込まれ難くなる。
【００１２】
尚、ダクト部への侵入を阻まれてヘッド部内に残った雨や雪の解け水は、該ヘッド部の底面に傾斜を付したり排水口を設けたりすることで前記ヘッド部の外へ排出できるようにしておけば良い。
【００１３】
また、本発明においては、ヘッド部内のガイド部と隣接する位置に前記ヘッド部の底面に溜まる水を堰き止める竪壁を備えることが好ましく、このようにすれば、ヘッド部内に留まった雨や雪の解け水がダクト部側へ入り込まないように確実に堰き止められ、しかも、前記ガイド部に案内されて外気が大回りする間に雨や雪が竪壁の高さより低く落ちさえすればダクト部への侵入が阻止されることになる。
【００１４】
更に、本発明においては、ヘッド部の車幅方向外側の側面に空気取入口の開口範囲を超えてダクト部の直上まで覆うルーバーを装着することが好ましく、このようにすれば、ダクト部の直上を避けて空気取入口を開口しながらも、意匠的には見栄えの良い外観を保つことが可能となる。
【発明の効果】
【００１５】
上記した本発明の吸気ダクトによれば、下記の如き種々の優れた効果を奏し得る。
【００１６】
（Ｉ）本発明の請求項１に記載の発明によれば、外気をヘッド部の前方側から回り込ませてダクト部に向かう流れとし、その回り込みの間に雨や雪を外気の流れから逸脱させてダクト部への侵入を阻止することができると共に、空気取入口からダクト部への直接的な雨や雪の侵入も阻止することができ、しかも、空気取入口の後方端をすり抜ける外気の流れをガイド部により車両前方へ向け、流速が高まり易い空気取入口の後方側の外気の流れをダクト部から一旦遠ざかるように大回りさせて雨や雪の落下量を従来よりも増やし、これら雨や雪を空気取入口に取り込まれ難くすることができるので、雨や雪のダクト部への侵入を確実に防止することができる。
【００１７】
（ＩＩ）本発明の請求項２に記載の発明によれば、ヘッド部内に留まった雨や雪の解け水をダクト部側へ入り込まないように竪壁により確実に堰き止めることができ、しかも、ガイド部に案内されて外気が大回りする間に雨や雪を竪壁の高さより低く落とすだけでダクト部への侵入を確実に阻止することができる。
【００１８】
（ＩＩＩ）本発明の請求項３に記載の発明によれば、ヘッド部の車幅方向外側の側面に空気取入口の開口範囲を超えてダクト部の直上までルーバーで覆うことにより、ダクト部の直上を避けて空気取入口を開口しながらも、意匠的には見栄えの良い外観を保つことができる。
【図面の簡単な説明】
【００１９】
【図１】本発明を実施する形態の一例を分解した状態で示す斜視図である。
【図２】図１のガイド部を平面視で見た断面図である。
【図３】従来例を示す斜視図である。
【発明を実施するための形態】
【００２０】
以下、本発明の実施の形態を図面を参照しつつ説明する。
【００２１】
図１及び図２は本発明を実施する形態の一例を示すもので、図３と同一の符号を付した部分は同一物を表わしている。
【００２２】
図１に示す如く、本形態例における吸気ダクト６は、先に図３で説明した従来の吸気ダクト３の場合と略同様に、運搬車両のキャブ１（図３参照）の後面に据え付けられて上下方向に延在し且つ該キャブ１の上面に乗り上げたヘッド部４ａの車幅方向外側に開口した空気取入口２から外気をエンジン用吸気として取り入れるように構成されているが、前記ヘッド部４ａの後部下面から前記キャブ１の後面に沿い下方へ延びるダクト部４ｂの直上を避けて前記空気取入口２を開口し、該空気取入口２の後方端に車幅方向内側へ段差を成し且つその段差間を平面視で円弧状を成す凹曲面により連続させたガイド部７（図２参照）を形成したところが特徴となっている。
【００２３】
ここに図示している例の場合には、ヘッド部４ａにおけるダクト部４ｂの直上に当たる後方部分４ａｒと、その前方に延びてキャブ１の上面に乗り上げることになる前方部分４ａｆとに前記ヘッド部４ａが分割構成されており、前記後方部分４ａｒの車幅方向外側に側面８を残す一方、前記前方部分４ａｆの車幅方向外側を開放して空気取入口２を形成するようにしている。
【００２４】
即ち、本形態例におけるヘッド部４ａは、空気取入口２の後方端を境界として前後に分割構成された構造となっており、その分割したヘッド部４ａの後方部分４ａｒにおける開放端面９の下側に前記ガイド部７と隣接して車幅方向に亘る竪壁１０が形成されていて、該竪壁１０により前記ヘッド部４ａの底面１１に溜まる水を堰き止め得るようにしてある。
【００２５】
ここで、前記ヘッド部４ａの底面１１には、該底面１１に溜まる水を空気取入口２側へ流し戻す傾斜が付されており、該空気取入口２下端に設けたドリップチャンネル１２により前記水を回収して竪壁１０側へ導き、排水口１３からヘッド部４ａの外へ排出できるようにしてある。
【００２６】
尚、水を排出するための排水口１３を形成するにあたっては、ヘッド部４ａの前方部分４ａｆにおける後方部分４ａｒとの嵌め合わせ部分の最下位置に凹み部を形成しておき、前方部分４ａｆを後方部分４ａｒに嵌め合わせた時に前記凹み部により前記竪壁１０との間に隙間が形成されるようにし、該隙間を排水口１３として利用するようにすれば良い。
【００２７】
更に、本形態例においては、空気取入口２から車幅方向内側へ向けて取り込まれた外気がヘッド部４ａ内で車両後方へ回り込む流れとなるので、この回り込みを円滑に誘導し得るよう前記ヘッド部４ａ内に仕切板１４が内蔵されており、また、ヘッド部４ａの車幅方向外側の側面には、空気取入口２の開口範囲を超えてダクト部４ｂの直上まで覆うルーバー５が装着されている。
【００２８】
而して、このように吸気ダクト６を構成すれば、空気取入口２がダクト部４ｂの直上を避けて開口されているので、外気がヘッド部４ａの前方側から回り込んでダクト部４ｂに向かう流れとなり、その回り込みの間に雨や雪が壁面に衝突したり底面１１に落下したりすることで外気の流れから逸脱してダクト部４ｂへの侵入を阻まれると共に、空気取入口２からダクト部４ｂへの直接的な雨や雪の侵入も阻止されることになる。
【００２９】
しかも、空気取入口２の後方端をすり抜ける外気の流れがガイド部７に沿って案内されることで車両前方（図２中における右側）へ向けられるので、流速が高まり易い空気取入口２の後方側の外気の流れがダクト部４ｂから一旦遠ざかるように大回りし、この大回りにより稼がれた時間で雨や雪の落下量が従来よりも大きくなり、これら雨や雪が空気取入口２に対し取り込まれ難くなる。
【００３０】
尚、ダクト部４ｂへの侵入を阻まれてヘッド部４ａ内に残った雨や雪の解け水は、該ヘッド部４ａの底面１１に付された傾斜によりドリップチャンネル１２に流下して回収され、該ドリップチャンネル１２により竪壁１０側へ導かれて排水口１３からヘッド部４ａの外へ排出される。
【００３１】
また、特に本形態例においては、ヘッド部４ａ内のガイド部７と隣接する位置に前記ヘッド部４ａの底面１１に溜まる水を堰き止める竪壁１０を備えているので、ヘッド部４ａ内に留まった雨や雪の解け水がダクト部４ｂ側へ入り込まないように確実に堰き止められ、しかも、前記ガイド部７に案内されて外気が大回りする間に雨や雪が竪壁１０の高さより低く落ちさえすればダクト部４ｂへの侵入が阻止されることになる。
【００３２】
従って、上記形態例によれば、外気をヘッド部４ａの前方側から回り込ませてダクト部４ｂに向かう流れとし、その回り込みの間に雨や雪を外気の流れから逸脱させてダクト部４ｂへの侵入を阻止することができると共に、空気取入口２からダクト部４ｂへの直接的な雨や雪の侵入も阻止することができ、しかも、空気取入口２の後方端をすり抜ける外気の流れをガイド部７により車両前方へ向け、流速が高まり易い空気取入口２の後方側の外気の流れをダクト部４ｂから一旦遠ざかるように大回りさせて雨や雪の落下量を従来よりも増やし、これら雨や雪を空気取入口２に取り込まれ難くすることができるので、雨や雪のダクト部４ｂへの侵入を確実に防止することができる。
【００３３】
更に、ヘッド部４ａ内に留まった雨や雪の解け水をダクト部４ｂ側へ入り込まないように竪壁１０により確実に堰き止めることができ、しかも、ガイド部７に案内されて外気が大回りする間に雨や雪を竪壁１０の高さより低く落とすだけでダクト部４ｂへの侵入を確実に阻止することができる。
【００３４】
また、ヘッド部４ａの車幅方向外側の側面に空気取入口２の開口範囲を超えてダクト部４ｂの直上までルーバー５で覆うようにしているので、ダクト部４ｂの直上を避けて空気取入口２を開口しながらも、意匠的には見栄えの良い外観を保つこともできる。
【００３５】
尚、本発明の吸気ダクトは、上述の形態例にのみ限定されるものではなく、本発明の要旨を逸脱しない範囲内において種々変更を加え得ることは勿論である。
【符号の説明】
【００３６】
１      キャブ
２      空気取入口
４ａ    ヘッド部
４ｂ    ダクト部
５      ルーバー
６      吸気ダクト
７      ガイド部
１０    竪壁
１１    底面
【図１】
0006626776.tif 000002
【図２】
0006626776.tif 000003
【図３】
0006626776.tif 000004